(57)【要約】  【課題】釣り糸が切れやすいという不具合を好適に解消し得る釣り用の錘を提供する。  【解決手段】貫通孔Ｈを有した錘本体１と、貫通孔Ｈに回転可能に支持された釣り糸保護部材２とを備えてなる釣り用の錘Ａであって、釣り糸保護部材２が、釣り糸が通過し得る釣り糸通過孔Ｔを設けた保護部材本体２１と、保護部材本体２１の両端部に設けられ錘本体１と係り合って当該錘本体１から保護部材本体２１が抜け出ることを禁止する抜け止め部２２とを備えたものとした。このようなものであれば、釣り糸が切れやすいという不具合を好適に解消し得る釣り用の錘Ａを提供し得るものとなる。【選択図】図１
2020167944.tif 000002
【特許請求の範囲】
【請求項１】
貫通孔を有した錘本体と、前記貫通孔に回転可能に支持された釣り糸保護部材とを備えてなる釣り用の錘であって、
前記釣り糸保護部材が、釣り糸が通過し得る釣り糸通過孔を設けた保護部材本体と、この保護部材本体の両端部に設けられ前記錘本体と係り合って当該錘本体から前記保護部材本体が抜け出ることを禁止する抜け止め部とを備えている釣り用の錘。
【請求項２】
前記保護部材本体が、内部に前記釣り糸通過孔を有した円筒状をなしたものであり、その両端部の外周面に前記釣り糸通過孔の方向に凹ませた係合凹部を設けたものであり、
前記抜け止め部が、前記係合凹部に位置決めされたリング部材により構成されたものである請求項１記載の釣り用の錘。
【請求項３】
前記保護部材本体が、内部に前記釣り糸通過孔を有した円筒状をなしたものであり、その一端部の外周面に前記釣り糸通過孔の方向に凹ませた係合凹部を有し、他端部に前記貫通孔よりも大きな外径を有した鍔部を一体に形成したものであり、
一方の前記抜け止め部が、前記係合凹部に位置決めされたリング部材により構成されたものであり、
他方の前記抜け止め部が、前記鍔部により構成されたものである請求項１記載の釣り用の錘。
【請求項４】
前記錘本体が、タングステンを主体に作られたものである請求項１、２又は３記載の釣り用の錘。
【発明の詳細な説明】
【技術分野】
【０００１】
本発明は、魚釣りの仕掛けを構成する釣り用の錘に関する。
【背景技術】
【０００２】
従来から、魚釣り用の仕掛けを構成する種々の釣り用の錘が知られている（例えば特許文献１参照。）。
【０００３】
この種の錘は、釣り糸が通過する貫通孔が形成された金属性の錘本体を主体に構成されている。そして、この種の錘には、錘本体の貫通孔に釣り糸を挿入し易くするための合成樹脂製の筒状部材が取り付けられたものも存在する。従来の錘における合成樹脂製の筒状部材は、貫通孔に圧入する方法や接着剤を用いる方法等により、錘本体に対して動かないように強固に固定されたものとなっていた。
【０００４】
ところが、かかる構成のものでは、釣りをする過程において釣り糸と筒状部材の端部とが強く擦れ合うものとなってしまい、釣り糸が切れやすくなるという不具合が生じていた。かかる不具合は、特に、釣り針に掛かった魚を引き上げようとする際に顕著なものとなっていた。すなわち、釣り針に掛かった魚は逃げようとして海中を暴れ回り釣り糸を強く引っ張ることになるため、釣り糸と筒状部材の端部とが局所的に強く擦れ合うものとなっていた。
【０００５】
なお、以上の不具合は、筒状部材を装着していない錘を用いた場合においても同様である。すなわち、錘本体における貫通孔の開口縁と釣り糸とが強く擦れ合うことにより、釣り糸が切れやすくなるという同様の不具合が生ずるものとなっていた。
【先行技術文献】
【特許文献】
【０００６】
【特許文献１】実用新案登録第３２０９３３２号公報
【発明の概要】
【発明が解決しようとする課題】
【０００７】
本発明は、このような課題に着目してなされたものであって、釣り糸が、錘本体に固定された筒状部材又は錘本体における貫通孔の開口縁と擦れ合って切れやすくなるという不具合を好適に解消し得る釣り用の錘を提供することにある。
【課題を解決するための手段】
【０００８】
すなわち、本発明は次の構成をなしている。
【０００９】
請求項１に記載の発明は、貫通孔を有した錘本体と、前記貫通孔に回転可能に支持された釣り糸保護部材とを備えてなる釣り用の錘であって、前記釣り糸保護部材が、釣り糸が通過し得る釣り糸通過孔を設けた保護部材本体と、この保護部材本体の両端部に設けられ前記錘本体と係り合って当該錘本体から前記保護部材本体が抜け出ることを禁止する抜け止め部とを備えている釣り用の錘である。
【００１０】
請求項２に記載の発明は、前記保護部材本体が、内部に前記釣り糸通過孔を有した円筒状をなしたものであり、その両端部の外周面に前記釣り糸通過孔の方向に凹ませた係合凹部を設けたものであり、前記抜け止め部が、前記係合凹部に位置決めされたリング部材により構成されたものである請求項１記載の釣り用の錘である。
【００１１】
請求項３に記載の発明は、前記保護部材本体が、内部に前記釣り糸通過孔を有した円筒状をなしたものであり、その一端部の外周面に前記釣り糸通過孔の方向に凹ませた係合凹部を有し、他端部に前記貫通孔よりも大きな外径を有した鍔部を一体に形成したものであり、一方の前記抜け止め部が、前記係合凹部に位置決めされたリング部材により構成されたものであり、他方の前記抜け止め部が、前記鍔部により構成されたものである請求項１記載の釣り用の錘である。
【００１２】
請求項４に記載の発明は、前記錘本体が、タングステンを主体に作られたものである請求項１、２又は３記載の釣り用の錘である。
【発明の効果】
【００１３】
以上説明したように本発明によれば、釣り糸が、錘本体に固定された筒状部材又は錘本体における貫通孔の開口縁と擦れ合って切れやすくなるという不具合を好適に解消し得る釣り用の錘を提供することができるものとなる。
【図面の簡単な説明】
【００１４】
【図１】本発明の一実施形態を示す正面図。
【図２】同実施形態における左側面図。
【図３】図１のＸ−Ｘ線概略断面図。
【図４】同実施形態における平面図。
【図５】同実施形態における底面図。
【図６】他の実施形態を示す図３対応の概略断面図。
【発明を実施するための形態】
【００１５】
以下、本発明の一実施形態を、図１〜５を参照して説明する。
【００１６】
この実施形態は、本発明を鯛釣り用の仕掛けに用いられる釣り用の錘Ａ（以下、単に「錘Ａ」と称する。）に適用したものである。
【００１７】
鯛釣り用の仕掛けは、錘Ａと、錘Ａに設けられた釣り糸通過孔Ｔに挿通される釣り糸Ｌと、釣り糸Ｌの先端側に設けられた図示しない釣り針や釣り針を有した疑似餌とを備えている。釣り糸Ｌは、所定の太さに設定された合成樹脂製のものである。錘Ａに設けられた釣り糸通過孔Ｔを通過した釣り糸Ｌの先端側には、釣り糸Ｌが錘Ａから離脱しないようにするための図示しない離脱防止手段が設けられている。離脱防止手段は、釣り糸通過孔Ｔを通過できない大きさに設定されており、釣り針や疑似餌と一体的又は別体に設けられている。
【００１８】
以下、この実施形態の錘Ａについて詳述する。
【００１９】
錘Ａは、貫通孔Ｈを有した錘本体１と、貫通孔Ｈに回転可能に支持された釣り糸保護部材２とを備えてなるものである。
【００２０】
＜錘本体１＞
錘本体１は、金属により成形された塊状のものである。錘本体１は、釣り糸保護部材２を軸周りに回転可能に支持し得る上下方向に延びた貫通孔Ｈを備えている。錘本体１は、左右対称形状をなしている。錘本体１は、タングステンを主体に作られたものであり、仕掛けを海中に沈めるための所定の重さに設定されている。
【００２１】
錘本体１は、半球状をなす上部分１ａと、上部分１ａの下に一体に設けられ正面視において下方に向かって漸次幅狭になるように形成された下向き山形状をなす下部分１ｂとを備えている。下部分１ｂには、左右に離間して配された対をなす揺動惹起面ｍを備えている。左右の揺動惹起面ｍは、斜め下方を向いた平面状をなしている。
【００２２】
錘本体１における左右方向中間部の位置、及び、錘本体１における前後方向中間部よりも前の位置には、上下方向に延びる貫通孔Ｈが設けられている。換言すれば、錘本体１は、前寄りの部位に上下方向に延びた貫通孔Ｈを設けるための貫通孔形成部１１を備えている。
【００２３】
貫通孔形成部１１の上端部には、円環状をなす上端縁ｅ１を有した上筒状部分１１１が形成されている。貫通孔形成部１１の下端部には、円環状をなす下端縁ｅ２を有した下筒状部分１１２が形成されている。
【００２４】
＜釣り糸保護部材２＞
釣り糸保護部材２は、釣り糸Ｌと係わり合い当該釣り糸Ｌの動きに対応して回転し得るようになっている。釣り糸保護部材２は、上端及び下端に釣り糸Ｌと当接し得る開口縁部ｔｅを備えている。釣り糸保護部材２は、開口縁部ｔｅに当接した釣り糸Ｌの動きに伴って回動し得るものである。釣り糸保護部材２は、釣り糸通過孔Ｔを軸心として錘本体１に対して回転可能に構成されている。
【００２５】
釣り糸保護部材２は、釣り糸Ｌが通過し得る釣り糸通過孔Ｔを設けた保護部材本体２１と、保護部材本体２１における上端部及び下端部に設けられ錘本体１と係り合って当該錘本体１から保護部材本体２１が抜け出ることを禁止する抜け止め部２２とを備えている。
【００２６】
保護部材本体２１は、内部に釣り糸通過孔Ｔを有した円筒状をなしている。保護部材本体２１は、合成樹脂製のものである。保護部材本体２１は、釣り糸通過孔Ｔにおける上下の開口縁部ｔｅに釣り糸Ｌが当接し得る釣り糸当接部たる傾斜面ｓｈが設けられている。
【００２７】
保護部材本体２１は、貫通孔Ｈ内に収容されていない部位である上端部及び下端部の外周面に、釣り糸通過孔Ｔの方向に凹ませた係合凹部２１１が設けられている。係合凹部２１１には、抜け止め部２２を構成するリング部材Ｒが嵌合し得るようになっている。
【００２８】
抜け止め部２２は、保護部材本体２１に形成された係合凹部２１１に位置決めされたリング部材Ｒにより構成されたものである。リング部材Ｒは、例えば、Ｏリングと称される合成樹脂製のものであり、部材の弾性変形を利用して係合凹部２１１に装着され得るものとなっている。保護部材本体２１の上端部及び下端部に取り付けられたリング部材Ｒは、錘本体１における上筒状部分１１１の上端縁ｅ１及び下筒状部分１１２の下端縁ｅ２に係わり合い保護部材本体２１が錘本体１から抜け出さないようにしている。
【００２９】
以上に述べた通り、本実施形態における錘Ａは、貫通孔Ｈを有した錘本体１と、貫通孔Ｈに回転可能に支持された釣り糸保護部材２とを備えてなるものである。そして、釣り糸保護部材２が、釣り糸Ｌが通過し得る釣り糸通過孔Ｔを設けた保護部材本体２１と、保護部材本体２１の両端部に設けられ錘本体１と係り合って当該錘本体１から保護部材本体２１が抜け出ることを禁止する抜け止め部２２とを備えている。このため、本実施形態の錘Ａであれば、釣り糸Ｌが、局所的に擦れ合って切れやすいという従来の不具合を好適に解消し得るものとなっている。
【００３０】
つまり、釣り糸保護部材２が、錘本体１に対して回転可能に支持されているため、釣り糸Ｌが錘本体１と局所的に擦れ合うことが好適に抑制されたものとなっている。特に、鯛を釣り上げようとする最中であっても、鯛により引っ張られて激しく動作する釣り糸Ｌは、図３〜５に示すように、錘本体１に対して回転可能に支持された釣り糸保護部材２の回動により釣り糸保護部材２の軸周りに適宜案内されることになる。そのため、釣り糸Ｌは、釣り糸保護部材２の開口縁部ｔｅに対して局所的に激しく擦れ難いものとなっている。したがって、本実施形態に示す錘Ａであれば、釣り糸Ｌの擦れによる損傷を可及的に抑制し得るものとなっている。換言すれば、本実施形態に示す錘Ａであれば、鯛釣り用の仕掛けを従来よりも長持ちさせ得るものとなっている。
【００３１】
保護部材本体２１が、内部に釣り糸通過孔Ｔを有した円筒状をなしたものである。そして、保護部材本体２１が、その両端部の外周面に釣り糸通過孔Ｔの方向に凹ませた係合凹部２１１を設けている。抜け止め部２２が、係合凹部２１１に位置決めされたリング部材Ｒにより構成されている。このため、保護部材本体２１は、錘本体１に対して回転可能な態様で且つ錘本体１から離脱し難い態様で好適に取り付けられたものとなる。
【００３２】
錘本体１が、質量の比較的大きな物質であるタングステンを主体に作られたものである。このため、コンパクトな形態を採りつつ所定の重量を有した錘本体１を形成し易いものとなっている。
【００３３】
なお、本発明は、以上に詳述した実施形態に限られるものではない。
【００３４】
例えば、図６の例に示すように、錘Ａにおける抜け止め部２２の構成は種々の構成を採用することができるものである。
【００３５】
すなわち、図６に示す錘Ａにおける保護部材本体２１は、内部に釣り糸通過孔Ｔを有した円筒状をなしたものであり、その一端部である上端部の外周面に釣り糸通過孔Ｔの方向に凹ませた係合凹部２１１を有し、他端部である下端部に貫通孔Ｈよりも大きな外径を有した鍔部Ｆを一体に形成したものである。そして、一方の抜け止め部２２が、係合凹部２１１に位置決めされたリング部材Ｒにより構成されたものであり、他方の抜け止め部２２が、保護部材本体２１に一体形成された鍔部Ｆにより構成されたものである。
【００３６】
このような構成のものであっても、保護部材本体２１は、錘本体１に対して好適に抜け止めされ得るものとなるため、所期の目的を達成し得るものとなる。
【００３７】
釣り対象となる魚は、鯛に限られるものではない。
【００３８】
錘本体の材質や形状は、本発明の趣旨を逸脱しない範囲で種々のものを採用し得るものであることは言うまでもない。例えば、錘本体の外面に、種々の着色等の装飾を施してもよい。
【００３９】
釣り糸保護部材の材質や形状は、本発明の趣旨を逸脱しない範囲で種々のものを採用し得るものであることは言うまでもない。例えば、抜け止め部として、金属製のＣリングを用いるようにしてもよい。
【００４０】
その他、各部の具体的構成についても上記実施形態に限られるものではなく、本発明の趣旨を逸脱しない範囲で種々変形が可能である。
【符号の説明】
【００４１】
Ａ…錘
１…錘本体
２…釣り糸保護部材
２１…保護部材本体
２２…抜け止め部
【図１】
2020167944.tif 000003
【図２】
2020167944.tif 000004
【図３】
2020167944.tif 000005
【図４】
2020167944.tif 000006
【図５】
2020167944.tif 000007
【図６】
2020167944.tif 000008
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
貫通孔を有した錘本体と、前記貫通孔に回転可能に支持された釣り糸保護部材とを備えてなる釣り用の錘であって、
前記貫通孔が、上下方向に延びてなり、前記錘本体における前後方向中間部よりも前の位置に設けられたものであり、
前記釣り糸保護部材が、釣り糸が通過し得る釣り糸通過孔を設けた保護部材本体と、この保護部材本体の両端部に設けられ前記錘本体と係り合って当該錘本体から前記保護部材本体が抜け出ることを禁止する抜け止め部とを備えている釣り用の錘。
【請求項２】
前記保護部材本体が、内部に前記釣り糸通過孔を有した円筒状をなしたものであり、その両端部の外周面に前記釣り糸通過孔の方向に凹ませた係合凹部を設けたものであり、
前記抜け止め部が、前記係合凹部に位置決めされたリング部材により構成されたものである請求項１記載の釣り用の錘。
【請求項３】
前記保護部材本体が、内部に前記釣り糸通過孔を有した円筒状をなしたものであり、その一端部の外周面に前記釣り糸通過孔の方向に凹ませた係合凹部を有し、他端部に前記貫通孔よりも大きな外径を有した鍔部を一体に形成したものであり、
一方の前記抜け止め部が、前記係合凹部に位置決めされたリング部材により構成されたものであり、
他方の前記抜け止め部が、前記鍔部により構成されたものである請求項１記載の釣り用の錘。
【請求項４】
前記錘本体が、タングステンを主体に作られたものである請求項１、２又は３記載の釣り用の錘。
【手続補正２】
【補正対象書類名】明細書
【補正対象項目名】０００９
【補正方法】変更
【補正の内容】
【０００９】
請求項１に記載の発明は、貫通孔を有した錘本体と、前記貫通孔に回転可能に支持された釣り糸保護部材とを備えてなる釣り用の錘であって、前記貫通孔が、上下方向に延びてなり、前記錘本体における前後方向中間部よりも前の位置に設けられたものであり、前記釣り糸保護部材が、釣り糸が通過し得る釣り糸通過孔を設けた保護部材本体と、この保護部材本体の両端部に設けられ前記錘本体と係り合って当該錘本体から前記保護部材本体が抜け出ることを禁止する抜け止め部とを備えている釣り用の錘である。